(57)【要約】  複数のアンテナで受信したＲＦ信号をそれぞれダウンコンバートするための局部発振信号、またはベースバンド信号をアップコンバートするための局部発振信号を生成する位相同期発振器を備えた複数の送受信器ブロックを備えた送受信装置に、送受信器ブロック毎に備える位相同期発振器のループ帯域の差を検出し、位相同期発振器毎のループ帯域を一致させるための制御信号を生成するループ帯域検出回路を備える。
2012008197.tif 000002
【特許請求の範囲】
【請求項１】
複数のアンテナで受信したＲＦ信号をそれぞれダウンコンバートするための局部発振信号、またはベースバンド信号をアップコンバートするための局部発振信号を生成する位相同期発振器を備えた複数の送受信器ブロックと、
前記送受信器ブロック毎に備える前記位相同期発振器のループ帯域の差を検出し、前記位相同期発振器毎のループ帯域を一致させるための制御信号を生成するループ帯域検出回路と、
を有する送受信装置。
【請求項２】
前記ループ帯域検出回路は、
２つの前記位相同期発振器で生成された局部発振信号を混合するミキサ回路と、
前記ミキサ回路から出力される信号の電力値を検出する電力センサと、
前記電力センサで検出された電力値が最小となるように前記制御信号を生成する制御部と、
を有する請求項１記載の送受信装置。
【請求項３】
前記位相同期発振器は、
電圧制御発振器、位相比較回路、チャージポンプ及びループフィルタを備えたＰＬＬ回路であり、
前記ループ帯域検出回路は、
前記チャージポンプから出力する電流量を前記制御信号により変化させることで前記位相同期発振器毎のループ帯域を一致させる請求項１または２記載の送受信装置。
【請求項４】
前記位相同期発振器は、
電圧制御発振器、位相比較回路、チャージポンプ及びループフィルタを備えたＰＬＬ回路であり、
前記ループフィルタは、
抵抗値が可変の抵抗素子または容量値が可変の容量素子を備え、
前記ループ帯域検出回路は、
前記抵抗値または容量値を前記制御信号により変化させることで前記位相同期発振器毎のループ帯域を一致させる請求項１から３のいずれか１項記載の送受信装置。
【請求項５】
前記位相同期発振器は、
電圧制御発振器、位相比較回路、チャージポンプ及びループフィルタを備えたＰＬＬ回路であり、
前記位相比較回路とチャージポンプの接続ノードに接続されたスイッチを備え、
前記ループ帯域検出回路は、
前記ループ帯域の調整時、前記スイッチを導通させ、
少なくとも１つの前記位相同期発振器のループ帯域の周波数よりも高い周波数のパイロット信号を、前記スイッチを介して前記接続ノードに供給する請求項１から４のいずれか１項記載の送受信装置。
【請求項６】
複数のアンテナで受信したＲＦ信号をそれぞれダウンコンバートするための局部発振信号を生成する位相同期発振器を備えた複数の受信器ブロックと、
前記受信器ブロックの出力信号を合成した信号であるベースバンド信号に含まれるジッター成分の電力を検出するジッター検出回路と、
前記受信器ブロック毎に備える前記位相同期発振器のループ帯域の差を検出し、前記位相同期発振器毎のループ帯域を一致させると共に、前記ジッター検出回路で検出されたジッター成分の電力値が最小となるように制御信号を生成するループ帯域検出回路と、
を有する受信装置。
【発明の詳細な説明】
【技術分野】
【０００１】
本発明は複数の送受信器ブロックを備えた送受信装置に関する。
【背景技術】
【０００２】
無線通信システムにおいて、空間ダイバーシティ方式やビームステアリング方式を実現するには、複数のアンテナが必要であり、ベースバンド信号からＲＦ（Radio  Frequency）信号に変換する、またはＲＦ信号からベースバンド信号に変換する、各アンテナに対応した複数の送受信器ブロックが必要である。【０００３】
一般に、ミリ波帯等の高周波帯で用いる無線通信システムでは、配線による損失を低減するために、送受信器ブロックとアンテナとは最短距離で接続することが望ましい。上記空間ダイバーシティ方式では、各アンテナが離れて配置されるため、送受信器ブロックも離れて配置される。【０００４】
また、上記ビームステアリング方式では、アンテナによる利得を高めるために、アンテナ数や送受信器ブロック数を増やすことがある。その場合、複数の送受信器ブロックを、例えば１つのＩＣ（Integrated  Circuit）に収容すると、該ＩＣのサイズが大きくなりすぎる問題がある。さらに、多くの送受信器ブロックを収容するＩＣでは、製造上の歩留まりが低下することも考えられる。【０００５】
このような問題を避けため、通常、各送受信器ブロックは、個別のＩＣでそれぞれ形成されている。なお、各送受信器ブロックを個別のＩＣで形成する構成でも、１つのＬＯ信号（局部発振信号）源で生成されたＬＯ信号を各ＩＣへ分配すると、送受信器ブロック毎にＬＯ信号の位相を同期させるのが困難であり、分配損失も大きくなる問題がある。そのため、空間ダイバーシティ方式やビームステアリング方式の無線通信システムでは、複数の送受信器ブロックをそれぞれ個別のＩＣで形成すると共に、各送受信器ブロックにそれぞれＬＯ信号源を設け、それらＬＯ信号源にて位相同期したＬＯ信号をそれぞれ生成させる構成が採用されている。【０００６】
図１は、２つの受信器ブロック１ａ，１ｂを備えた背景技術の受信装置の構成例を示している。【０００７】
図１に示す受信装置は、２つの受信器ブロック１ａ，１ｂと、２つのアンテナ２ａ，２ｂと、周波数が一定の信号を高安定に発振する信号源５とを有する構成である。【０００８】
受信器ブロック１ａは、低雑音増幅器３ａ、ミキサ４ａ及びＬＯ信号源である位相同期発振器（以下、ＰＬＯ（Phase  Locked  Oscillator）と称す）６ａを備えている。受信器ブロック１ｂは、低雑音増幅器３ｂ、ミキサ４ｂ及びＰＬＯ６ｂを備えている。ＰＬＯ６ａ，６ｂには、周知のＰＬＬ（Phase  Locked  Loop）回路が用いられる。無線通信システムで用いるＰＬＯ（ＰＬＬ回路）については、例えば特許文献１や特許文献２にも記載されている。【０００９】
このような構成において、アンテナ２ａ，２ｂで受信されたＲＦ信号は、低雑音増幅器３ａ，３ｂで増幅される。ＰＬＯ６ａ，６ｂは、信号源５から出力された信号に位相を同期させたＬＯ信号をそれぞれ生成する。低雑音増幅器３ａ，３ｂから出力されたＲＦ信号は、ミキサ４ａ，４ｂにより、ＰＬＯ６ａ，６ｂで生成されたＬＯ信号と混合されてダウンコンバートされる。２つのミキサ４ａ，４ｂから出力された信号は、配線路で合成されて出力端子７からベースバンド信号として出力される。【００１０】
図２は、図１に示した受信装置に６０．６１ＧＨｚのＲＦ信号（正弦波）を入力したとき（ＬＯ信号の周波数は６０．４８ＧＨｚ）、出力端子７に現れるベースバンド信号の信号波形（１３０ＭＨｚのサイン波）の測定結果を示している。図２に示すように、図１に示した受信装置の出力信号（ベースバンド信号）は、ジッターが大きく、多くの不要な周波数成分を含んでいることが分かる。【００１１】
受信装置から出力されるベースバンド信号のジッターを低減するには、位相ノイズが十分に小さいＰＬＯ６ａ、６ｂを用いればよい。しかしながら、ミリ波帯等の高周波数帯で使用できる、位相ノイズが十分に小さいＬＯ信号源を実現するのは未だ困難である。
【先行技術文献】
【特許文献】
【００１２】
【特許文献１】特開２００３−７８４１０号公報
【特許文献２】特開２００７−２５１５７１号公報
【発明の概要】
【００１３】
そこで本発明は、複数の送受信器ブロックを備え、位相ノイズが十分に小さいＬＯ信号源を実現できない高周波数帯においても、各送受信器ブロックの出力信号を合成した信号のジッターを低減できる送受信装置を提供することを目的とする。
【００１４】
上記目的を達成するため本発明の送受信装置は、複数のアンテナで受信したＲＦ信号をそれぞれダウンコンバートするための局部発振信号、またはベースバンド信号をアップコンバートするための局部発振信号を生成する位相同期発振器を備えた複数の送受信器ブロックと、
前記送受信器ブロック毎に備える前記位相同期発振器のループ帯域の差を検出し、前記位相同期発振器毎のループ帯域を一致させるための制御信号を生成するループ帯域検出回路と、
を有する。
【図面の簡単な説明】
【００１５】
【図１】図１は、複数の受信器ブロックを備えた背景技術の受信装置の構成を示すブロック図である。
【図２】図２は、図１に示した受信装置から出力されるベースバンド信号の信号波形の一例を示す波形図である。
【図３】図３は、図１に示した受信装置が備える各受信器ブロックの出力信号の周波数スペクトルを示すグラフである。
【図４】図４は、図１に示した受信装置が備える各受信器ブロックの出力信号の周波数スペクトルを一致させたときの様子を示すグラフである。
【図５】図５は、図４に示した状態で受信装置から出力されるベースバンド信号の信号波形の一例を示す波形図である。
【図６Ａ】図６Ａは、第１の実施の形態の送受信装置の一構成例を示す図であり、受信装置の全体構成を示すブロック図である。
【図６Ｂ】図６Ｂは、図６Ａに示したＰＬＯの一構成例を示すブロック図である。
【図７Ａ】図７Ａは、図６Ａに示したＰＬＯの他の構成例を示すブロック図である。
【図７Ｂ】図７Ｂは、図７Ａに示したループフィルタの構成例を示す回路図である。
【図８】図８は、図６Ａに示したループ帯域検出回路の一構成例を示すブロック図である。
【図９】図９は、図８に示した電力センサの検出感度を向上させる、ＰＬＯの構成例を示すブロック図である。
【図１０】図１０は、第２の実施の形態の受信装置の一構成例を示すブロック図である。
【発明を実施するための形態】
【００１６】
次に本発明について図面を用いて説明する。
【００１７】
図３は、図１に示した受信装置が備える２つの受信器ブロック１ａ，１ｂを個別に動作させたときの、各受信器ブロック１ａ，１ｂの出力信号の周波数スペクトルを示している。
【００１８】
図３に示すように、図１に示した受信装置では、受信器ブロック１ａの出力信号の周波数スペクトルと、受信器ブロック１ｂの出力信号の周波数スペクトルとが大きく異なっている。これは、ＰＬＬ回路であるＰＬＯ６ａ，６ｂの性能ばらつき、特にＰＬＯ６ａとＰＬＯ６ｂのループ帯域が異なることで、ＰＬＯ６ａ，６ｂから出力される位相ノイズが異なることに起因する。
【００１９】
図４は、図１に示した２つの受信器ブロック１ａ，１ｂの出力信号の周波数スペクトルを一致させたときの様子を示している。図５は、受信器ブロック１ａ，１ｂの周波数スペクトルを図４に示すように一致させたときの、受信装置から出力されるベースバンド信号の信号波形を示している。なお、図４は、受信ブロック１ｂの出力信号の周波数スペクトルと受信ブロック１ａの出力信号の周波数スペクトルとを一致させるため、ＰＬＯ（ＰＬＬ回路）６ａのループ帯域を広げるように調整した結果を示している。
【００２０】
図５に示すように、受信器ブロック１ａ，１ｂの出力信号の周波数スペクトルを一致させると、受信器ブロック１ａのループ帯域を広げて位相ノイズが悪化する方向へ調整しているにも関わらず、受信装置から出力されるベースバンド信号のジッターは低減している。このような現象は位相ノイズが十分に小さいＰＬＯ６ａ、６ｂを用いれば起きないと考えられるが、上述したようにミリ波帯等の高周波数帯で使用できる、位相ノイズが十分に小さいＬＯ信号源を実現するのは未だ困難である。このような現象が起きる理由は、明確ではないが、現象面から類推すると、２つのＰＬＯ６ａ、６ｂの位相ノイズの起源が同じであることに起因する可能性がある。
【００２１】
ＬＯ信号の位相ノイズは、（１）水晶発振器等の基準周波数のゆらぎ、（２）外部電源から供給される電源電圧のゆらぎ、（３）位相比較器等のＰＬＬ回路に存在するジッター、（４）ＰＬＬ回路が有する電圧制御発振器の熱ノイズや１／ｆノイズ等で発生する。このうち、（１）や（２）は、複数のＰＬＯに共通に影響を与える、すなわち位相ノイズの起源として同一のものと考えられる。また、（３）で指摘したジッターのうち、ランダム・ジッターには相関がないが、ディタミニスティック・ジッターと呼ばれる規則的なジッターには相関がある場合もある。つまり、複数のＰＬＯで生成されたＬＯ信号の位相ノイズは同期している可能性がある。
【００２２】
複数のＰＬＯで生成されたＬＯ信号の位相ノイズが同期している場合、ループ帯域を一致させると、各ＰＬＯで生成されたＬＯ信号は位相ノイズによって同じような変調を受ける。そのため、複数の受信器ブロックの出力信号を合成した信号であるベースバンド信号のジッター（ゆらぎ）が少なくなると考えられる。
【００２３】
したがって、複数の受信器ブロックを備え、位相ノイズが十分に小さいＬＯ信号源を実現できない高周波数帯で用いる受信装置では、各受信器ブロックが備えるＰＬＯのループ帯域を一致させることが望ましい。
【００２４】
なお、複数の送信器ブロックを備えた送信装置においても、複数の送信器ブロックからアンテナを介して放射された電波（ＲＦ信号）は空間上で合成され、該合成された電波が受信用のアンテナへ到来する。そのため、複数の送信器ブロックを備えた送信装置においても、受信装置と同様に各送信器ブロックが備えるＰＬＯのループ帯域を一致させておくことが望ましい。
（第１の実施の形態）
図６Ａ、Ｂは、第１の実施の形態の送受信装置の一構成例を示すブロック図である。
【００２５】
図６Ａは受信装置の全体構成を示し、図６Ｂは図６Ａに示したＰＬＯの一構成例を示している。図７Ａは図６Ａに示したＰＬＯの他の構成例を示すブロック図であり、図７Ｂは図７Ａに示したループフィルタの構成例を示す回路図である。
【００２６】
図６Ａに示すように、受信装置は、２つの受信器ブロック１ａ，１ｂと、２つのアンテナ２ａ，２ｂと、周波数が一定の信号（以下、基準信号と称す）を高安定に発振する信号源５と、受信器ブロック１ａ，１ｂが備えるＰＬＯのループ帯域の差を検出し、該ループ帯域が一致するように調整するループ帯域検出回路１６とを有する構成である。
【００２７】
受信器ブロック１ａは、低雑音増幅器３ａ、ミキサ４ａ及びＰＬＯ６ａを備えている。受信器ブロック１ｂは、低雑音増幅器３ｂ、ミキサ４ｂ及びＰＬＯ６ｂを備えている。
【００２８】
このような構成において、アンテナ２ａ，２ｂで受信された信号は、低雑音増幅器３ａ，３ｂで増幅される。ＰＬＯ６ａ，６ｂは、信号源５から出力された基準信号に位相を同期させたＬＯ信号をそれぞれ生成する。低雑音増幅器３ａ，３ｂの出力信号は、ＰＬＯ６ａ，６ｂで生成されたＬＯ信号とミキサ４ａ，４ｂで混合されてダウンコンバートされる。ミキサ４ａ，４ｂから出力された信号は、配線路で合成されて出力端子７からベースバンド信号として出力される。
【００２９】
図６Ｂに示すように、ＰＬＯ６ａ，６ｂは、電圧制御発振器８、分周器（ＤＩＶ）９、位相比較器（ＰＦＤ）１０、チャージポンプ（ＣＰ）１１及びループフィルタ１２をそれぞれ備えた、周知のＰＬＬ（Phased  Locked  Loop）回路である。なお、図６Ｂは、ループフィルタ１２として、低域通過型フィルタ（ＬＰＦ：Low  Pass  Filter）を用いる例を示している。また、図６Ｂでは、チャージポンプ（ＣＰ）１１の出力電流量を変えることでＰＬＯ６ａ，６ｂのループ帯域を調整するための構成例を示している。
【００３０】
位相比較器１０には、信号源５で生成された基準信号が入力端子１３を介して入力される。位相比較器１０は、基準信号の位相と分周器９の出力信号の位相とを比較し、それらの位相差に相当する信号を出力する。チャージポンプ１１は位相比較器１０の出力信号に対応する値の電流を出力する。ループフィルタ１２は、チャージポンプ１１の出力電流を電圧信号に変換すると共に、該電圧信号の高周波信号成分を遮断する。電圧制御発振器８は、入力電圧に対応する周波数の信号を発振する。分周器９は、電圧制御発振器８の発振周波数を分周して位相比較器１０へ帰還する。
【００３１】
このような構成では、帰還ループにより基準信号の周波数と分周器９の出力信号の周波数とが一致するように動作する。そのため、基準信号の周波数と分周器９の分周比とにより、電圧制御発振器８から所望の周波数のＬＯ信号を得ることができる。電圧制御発振器８から出力されたＬＯ信号は出力端子１４から出力される。
【００３２】
ＰＬＯ６ａ，６ｂのループ帯域は、位相比較器１０の利得、チャージポンプ１１の出力電流量、ループフィルタ１２の帯域によって決定される。ＰＬＯ６ａ，６ｂで生成されたＬＯ信号は、ループ帯域検出回路１６にそれぞれ入力される。
【００３３】
ループ帯域検出回路１６は、ＰＬＯ６ａ，６ｂで生成されたＬＯ信号からＰＬＯ６ａ，６ｂのループ帯域の差を検出し、それらのループ帯域を一致させるための制御信号をＰＬＯ６ａ，６ｂに供給する。ループ帯域検出回路１６は、制御信号により、例えばＰＬＯ６ａ，６ｂが備えるチャージポンプ１１の電流量をそれぞれ変化させることで（電流源に与える電圧を変化させることで）、ＰＬＯ６ａ，６ｂのループ帯域を一致させる。
【００３４】
具体的には、ＰＬＯ６ａ，６ｂから入力されたＬＯ信号を基に、ＰＬＯ６ｂよりもＰＬＯ６ａのループ帯域の方が広いことを検出した場合、ループ帯域検出回路１６は、制御信号により、ＰＬＯ６ａが備えるチャージポンプ１１の電流量を減少させる、あるいはＰＬＯ６ｂのチャージポンプ１１の電流量を増大させる。このようにして、ループ帯域検出回路１６は、ＬＯ信号を生成するＰＬＯ６ａ、６ｂのループ帯域を一致させる。その結果、受信装置の出力端子７から出力されるベースバンド信号のジッターが低減される。
【００３５】
なお、上述したように、ＰＬＯ６ａ，６ｂのループ帯域は、ループフィルタ１２のフィルタ特性を変えることでも調整できる。例えば、図７Ｂに示すように、ループフィルタ１２として、容量値を入力電圧で変更できる容量素子１９ａ，１９ｂ、または抵抗値を入力電圧で変更できる抵抗素子２０を備えた、低域通過型フィルタを構成する。この場合、ループ帯域検出回路１６は、制御信号により、容量素子１９ａ，１９ｂの容量値、または抵抗素子２０の抵抗値を変化させることで、ＰＬＯ６ａ，６ｂのループ帯域を一致させればよい。その場合、ＰＬＯ６ａ，６ｂは、図７Ａに示した構成となる。
【００３６】
ループ帯域検出回路１６は、例えば図８に示す構成で実現できる。
【００３７】
図８は、図６Ａに示したループ帯域検出回路の一構成例を示すブロック図である。
【００３８】
図８に示すように、ループ帯域検出回路１６は、ミキサ２１、ミキサ２１から出力される信号の電力値を検出する電力センサ２２及び制御部２８を有する構成である。
【００３９】
ＰＬＯ６ａ，６ｂで生成されたＬＯ信号は、入力端子２３ａ，２３ｂを介してミキサ２１に入力される。ミキサ２１から出力される信号は、ＰＬＯ６ａ，６ｂで生成されたＬＯ信号の差であり、低周波数領域（通常、数ＭＨｚ以下）でピークを有する周波数スペクトルとなる。ここで、ミキサ２１から出力される信号の高周波数領域には、ＰＬＯ６ａ，６ｂが備える電圧制御発振器８の高離調周波数における位相ノイズ電力の差の電力値が現れる。しかしながら、電圧制御発振器８の位相ノイズ電力は、元々非常に小さく、位相ノイズ電力の差の電力値も小さいため、この値は考慮しなくてよい。
【００４０】
したがって、ミキサ２１から出力される信号の電力値は、ＰＬＯ６ａ，６ｂのループ帯域の差に等しいと見なすことができる。よって、電力センサ２２で検出された電力値（検出値）が最小となるように、ＰＬＯ６ａ，６ｂに制御信号を供給すれば、ＰＬＯ６ａ，６ｂのループ帯域をほぼ一致させることができる。
【００４１】
制御部２８は、このように電力センサ２２の検出値が最小となるように、ＰＬＯ６ａ，６ｂのループ帯域を調整するための制御信号を生成し、出力端子２４ａ，２４ｂから出力する。制御部２８は、電力センサ２２の検出値を演算処理できればどのような回路でもよく、組み合わせ回路、順序回路、ＤＳＰ、ＣＰＵ、ＦＰＧＡ、メモリ、Ａ／Ｄ変換器、Ｄ／Ａ変換器等を備えた周知の情報処理装置によって実現できる。
【００４２】
制御部２８による制御信号の生成方法としては、以下の方法がある。
【００４３】
まず、ＰＬＯ６ａ，６ｂのうち、いずれか一方のループ帯域を広げるための制御信号を出力し、電力センサ２２の検出値の変化を観測する。例えば、ＰＬＯ６ａのループ帯域を広げるための制御信号を出力端子２４ａから出力する。
【００４４】
ここで、電力センサ２２の検出値が大きくなった場合、制御部２８は、電力センサ２２の検出値が十分に小さくなるまで、先に変化させたＰＬＯ（この場合は、ＰＬＯ６ａ）のループ帯域を狭くするための制御信号を出力する。あるいは、先に変化させていないＰＬＯ（この場合は、ＰＬＯ６ｂ）のループ帯域を広げるための制御信号を出力する。
【００４５】
一方、電力センサ２２の検出値が小さくなった場合、制御部２８は、電力センサ２２の検出値が十分に小さくなるまで、先に変化させたＰＬＯ（この場合は、ＰＬＯ６ａ）のループ帯域をより広げるための制御信号を出力する。あるいは、先に変化させていないＰＬＯ（この場合は、ＰＬＯ６ｂ）のループ帯域を狭くするための制御信号を出力する。
【００４６】
ここで、ループ帯域検出回路１６が備える電力センサ２２の検出感度があまり高くない場合は、以下の方法で検出感度を向上させることができる。
【００４７】
例えば、図９に示すように、ＰＬＯ６ａ、６ｂの位相比較器１０とチャージポンプ１１の接続ノードにスイッチ２５の一端を接続し、スイッチ２５の他端を入力端子２６に接続する。
【００４８】
そして、ＰＬＯ６ａ、６ｂのループ帯域の調整時、制御部２８により入力端子２６からパイロット信号を入力すると共に、スイッチ２５を導通させる。パイロット信号の周波数は、ＰＬＯ６ａ、６ｂの少なくとも一方のループ帯域よりも少し高い周波数に設定する。
【００４９】
パイロット信号をＰＬＯ６ａ、６ｂに入力すると、ＰＬＯ６ａ、６ｂで生成されるＬＯ信号の周波数スペクトルには、中心周波数からパイロット信号の周波数だけ離れた周波数でピークが現れる。このパイロット信号に起因するピークのレベルは、ＰＬＯ６ａ、６ｂのループ帯域の周波数とパイロット信号の周波数の差によって異なる。すなわち、ＰＬＯ６ａ、６ｂのループ帯域の差がピークの値として現れるため、このピークの値を、電力センサ２２を用いて検出すれば、ＰＬＯ６ａ、６ｂのループ帯域の差を検出できる。したがって、適切な（比較的大きな電力の）パイロット信号をＰＬＯ６ａ、６ｂに入力すれば、電力センサ２２の感度不足を補うことが可能であり、ＰＬＯ６ａ、６ｂのループ帯域の差を容易に検出できる。
【００５０】
なお、本実施形態では、受信装置を例にして、各受信器ブロックが備えるＰＬＯのループ帯域を一致させるための構成や方法を説明したが、図６Ａに示した構成において、低雑音増幅器３ａ、３ｂに代わって、ミキサ４ａ、４ｂから出力されたＲＦ信号をアンテナ２ａ，２ｂへ供給する電力増幅器を備え、ミキサ４ａ、４ｂとしてアップコンバート型のミキサを用いれば、本実施形態で示す技術は、ＰＬＯを備えた送信器ブロックを複数有する送信装置にも適用可能である。
【００５１】
また、本実施形態では、受信装置に２つの受信器ブロック１ａ、１ｂを備えた構成例を示したが、受信器ブロックの数は、２つに限定されるものではなく、３つ以上備えていてもよい。その場合、上記と同様の手法を用いて、いずれか１つの受信器ブロックが備えるＰＬＯのループ帯域を基準にして、他の受信器ブロックが備えるＰＬＯのループ帯域を、該基準のＰＬＯのループ帯域にそれぞれ一致させればよい。
【００５２】
本実施形態によれば、ループ帯域検出回路１６により受信器ブロック１ａ，１ｂが備えるＰＬＯ６ａ，６ｂのループ帯域を一致させることができる。そのため、複数の受信器ブロックを備えた受信装置において、位相ノイズが十分に小さいＬＯ信号源を実現できない高周波数帯においても、ベースバンド信号の信号波形のジッターを低減できる。
【００５３】
同様に、複数の送信器ブロックを備えた送信装置において、位相ノイズが十分に小さいＬＯ信号源を実現できない高周波数帯においても、空間上で合成されるＲＦ信号のジッターを低減できる。
（第２の実施の形態）
図１０は、第２の実施の形態の受信装置の一構成例を示すブロック図である。
【００５４】
図１０に示すように、第２の実施の形態の受信装置は、受信器ブロック１ａ、１ｂから出力されて合成されたベースバンド信号のジッター成分の電力を検出するジッター検出回路２７を備え、ループ帯域検出回路１６がジッター検出回路２７で検出されたジッター成分の電力も考慮して、各受信器ブロックが備えるＰＬＯのループ帯域を調整する点で第１の実施の形態で示した受信装置と異なっている。その他の構成及び動作は第１の実施の形態の受信装置と同様であるため、その説明は省略する。なお、第２の実施の形態は、ベースバンド信号のジッター成分の電力を検出する構成であるため、受信装置のみに適用可能である。
【００５５】
上述したように、受信装置から出力されるベースバンド信号のジッターは、各受信器ブロックが備えるＰＬＯのループ帯域の関係に大きく依存する。但し、ジッターをさらに低減するには各ＰＬＯで生成されるＬＯ信号の位相ノイズをより低減する必要がある。すなわち、各ＰＬＯのループ帯域はできるだけ狭い方が好ましい。
【００５６】
そこで、第２の実施の形態では、ループ帯域検出回路１６により、ＰＬＯ６ａ，６ｂのループ帯域が一致するように調整しつつ、ジッター検出回路２７にて検出されたジッター成分の電力が最小となるように、ＰＬＯ６ａ，６ｂのループ帯域をさらに調整する。
【００５７】
ジッター検出回路２７は、例えば以下の（１）〜（３）で示す手法を用いてベースバンド信号に含まれるジッター成分の電力を取得すればよい。
（１）フィルタ処理により受信装置から出力されたベースバンド信号からジッター成分を抽出し、抽出したジッター成分の電力を電力センサで測定する。
（２）ＦＦＴ処理により受信装置から出力されたベースバンド信号からジッター成分を抽出し、抽出したジッター成分の電力を電力センサで測定する。
（３）受信器ブロック１ａの出力信号の電力及び受信器ブロック１ｂの出力信号の電力を電力センサでそれぞれ測定し、それらの値を加算した第１の検出値を取得する。また、受信装置から出力されたベースバンド信号の電力、すなわち受信器ブロック１ａ，１ｂから出力され、配線路により合成された信号の電力を電力センサで測定した第２の検出値を取得する。そして、第１の検出値と第２の検出値の差を求めることでジッター成分の電力を取得する。
【００５８】
ジッター検出回路２７は、電力センサに加えて、上記フィルタ処理、ＦＦＴ処理、演算処理等を実行する、組み合わせ回路、順序回路、ＤＳＰ、ＣＰＵ、ＦＰＧＡ、メモリ、Ａ／Ｄ変換器、Ｄ／Ａ変換器等を備えた周知の情報処理装置によって実現できる。
【００５９】
第２の実施の形態の受信装置によれば、ループ帯域検出回路１６により、ＰＬＯ６ａ，６ｂのループ帯域が一致するように調整しつつ、ジッター検出回路２７によりベースバンド信号に含まれるジッター成分の電力を検出し、該ジッター成分の電力が最小となるように、ＰＬＯ６ａ，６ｂのループ帯域を調整するため、第１の実施の形態の受信装置よりもベースバンド信号の信号波形のジッターを低減できる。
【００６０】
以上、実施形態を参照して本願発明を説明したが、本願発明は上記実施形態に限定されものではない。本願発明の構成や詳細は本願発明のスコープ内で当業者が理解し得る様々な変更が可能である。
【００６１】
この出願は、２０１０年７月１３日に出願された特願２０１０−１５８６４７号を基礎とする優先権を主張し、その開示の全てをここに取り込む。
【図１】
2012008197.tif 000003
【図２】
2012008197.tif 000004
【図３】
2012008197.tif 000005
【図４】
2012008197.tif 000006
【図５】
2012008197.tif 000007
【図６Ａ】
2012008197.tif 000008
【図６Ｂ】
2012008197.tif 000009
【図７Ａ】
2012008197.tif 000010
【図７Ｂ】
2012008197.tif 000011
【図８】
2012008197.tif 000012
【図９】
2012008197.tif 000013
【図１０】
2012008197.tif 000014
【国際調査報告】
2012008197.tif 000015
2012008197.tif 000016